(57)【要約】【課題】オンライン入稿を行うＣＭ素材の作成をより効率的に行うことを実現する。【解決手段】処理装置１１は、ＣＭ素材の作成が可能に構成されたＣＭ素材作成部１００を有するものである。ＣＭ素材作成部１００は、ファーストカット、ラストカット及びクレジットを生成し、調整用信号と、生成したファーストカット、ラストカット及びクレジットと、をＣＭの元データに結合することにより、デジタルデータとしてＣＭ素材を作成する。【選択図】図３
2020150421.tif 000002
【特許請求の範囲】
【請求項１】
ファーストカット、ラストカット及びクレジットを生成し、調整用信号と、生成した前記ファーストカット、前記ラストカット及び前記クレジットと、をＣＭの元データに結合して、デジタルデータとしてＣＭ素材を作成する手段を備える、  
ＣＭ素材作成装置。
【請求項２】
作成した前記ＣＭ素材を放送局へ送信する手段をさらに備える、
請求項１に記載のＣＭ素材作成装置。
【請求項３】
前記ＣＭ素材を作成する手段は、
前記ＣＭの元データの最初のフレームを複製し、複製したフレームから所定時間の前記ファーストカットを生成して前記ＣＭの元データの前に結合する手段と、
前記ＣＭの元データの最後のフレームを複製し、複製したフレームから所定時間の前記ラストカットを生成して前記ＣＭの元データの後に結合する手段と、
前記ＣＭの元データに対応するメタデータを用いて前記クレジットを生成する手段と、を備える、
請求項１又は２に記載のＣＭ素材作成装置。
【請求項４】
前記クレジットのテンプレートが記憶された記憶手段を更に備え、
前記クレジットを生成する手段は、
前記記憶手段から前記テンプレートを読み込み、
前記メタデータから前記テンプレートに書き込む情報を抽出し、
抽出した情報を前記テンプレートに書き込んで前記クレジットを生成する、  
請求項３に記載のＣＭ素材作成装置。
【請求項５】
前記記憶手段には、前記調整用信号がさらに記憶され、
前記ＣＭ素材を作成する手段は、前記記憶手段から前記調整用信号を読み込んで前記ファーストカットの前に結合する、
請求項４に記載のＣＭ素材作成装置。
【請求項６】
前記ＣＭ素材を作成する手段は、前記ＣＭの元データの最初の第１所定時間の間と、最後の第２所定時間の間と、を無音声とする、
請求項１乃至５のいずれか一項に記載のＣＭ素材作成装置。
【請求項７】
前記作成されたＣＭ素材は、ファイルベースメディアＣＭのフォーマットに準拠して作成される、
請求項１乃至６のいずれか一項に記載のＣＭ素材作成装置。
【請求項８】
ＨＤＴＶカセットテープ用のフォーマットで作成されたＣＭ素材を読み込む手段と、
読み込んだ前記ＨＤＴＶカセットテープ用のフォーマットで作成されたＣＭ素材を前記ファイルベースメディアＣＭのフォーマットのＣＭ素材に変換する手段と、をさらに備える、
請求項７に記載のＣＭ素材作成装置。
【請求項９】
前記読み込んだＨＤＴＶカセットテープ用のフォーマットで作成されたＣＭ素材を前記ファイルベースメディアＣＭのフォーマットのＣＭ素材に変換する手段は、
前記ＨＤＴＶカセットテープ用のフォーマットで作成されたＣＭ素材に含まれる調整用信号、クレジット、ファーストカット、ラストカット及びＣＭの元データを含む部分を抽出する手段と、
前記抽出した部分の前記クレジット及び前記調整用信号を前記ファイルベースメディアＣＭのフォーマットに適合する長さに変更する手段と、を備える、
請求項８に記載のＣＭ素材作成装置。
【請求項１０】
コンピュータが、
ファーストカット、ラストカット及びクレジットを生成し、調整用信号と、生成した前記ファーストカット、前記ラストカット及び前記クレジットと、をＣＭの元データに結合して、デジタルデータとしてＣＭ素材を作成する機能を実行する、
ＣＭ素材作成方法。
【請求項１１】
前記コンピュータが、
作成した前記ＣＭ素材を放送局へ送信する機能をさらに実行する、
請求項１０に記載のＣＭ素材作成方法。
【請求項１２】
前記ＣＭの元データの最初のフレームを複製し、複製したフレームから所定時間の前記ファーストカットを生成して前記ＣＭの元データの前に結合し、
前記ＣＭの元データの最後のフレームを複製し、複製したフレームから所定時間の前記ラストカットを生成して前記ＣＭの元データの後に結合し、
前記ＣＭの元データに対応するメタデータを用いて前記クレジットを生成する、
請求項１０又は１１に記載のＣＭ素材作成方法。
【請求項１３】
前記クレジットのテンプレートが記憶された記憶手段から前記テンプレートを読み込み、
前記メタデータから前記テンプレートに書き込む情報を抽出し、
抽出した情報を前記テンプレートに書き込んで前記クレジットを生成する、  
請求項１２に記載のＣＭ素材作成方法。
【請求項１４】
前記記憶手段には、前記調整用信号がさらに記憶され、
前記記憶手段から前記調整用信号を読み込んで前記ファーストカットの前に結合する、
請求項１３に記載のＣＭ素材作成方法。
【請求項１５】
前記ＣＭの元データの最初の第１所定時間の間と、最後の第２所定時間の間と、を無音声とする、
請求項１０乃至１４のいずれか一項に記載のＣＭ素材作成方法。
【請求項１６】
前記作成されたＣＭ素材は、ファイルベースメディアＣＭのフォーマットに準拠して作成される、
請求項１０乃至１５のいずれか一項に記載のＣＭ素材作成方法。
【請求項１７】
前記コンピュータが、
ＨＤＴＶカセットテープ用のフォーマットで作成されたＣＭ素材を読み込む機能と、
読み込んだ前記ＨＤＴＶカセットテープ用のフォーマットで作成されたＣＭ素材を前記ファイルベースメディアＣＭのフォーマットのＣＭ素材に変換する機能と、をさらに実行する、
請求項１６に記載のＣＭ素材作成方法。
【請求項１８】
前記ＨＤＴＶカセットテープ用のフォーマットで作成されたＣＭ素材に含まれる調整用信号、クレジット、ファーストカット、ラストカット及びＣＭの元データを含む部分を抽出し、
前記抽出した部分の前記クレジット及び前記調整用信号を前記ファイルベースメディアＣＭのフォーマットに適合する長さに変更する、
請求項１７に記載のＣＭ素材作成方法。
【請求項１９】
コンピュータを、
ファーストカット、ラストカット及びクレジットを生成し、調整用信号と、生成した前記ファーストカット、前記ラストカット及び前記クレジットをＣＭの元データに結合して、デジタルデータとしてＣＭ素材を作成する手段として機能させる、
ＣＭ素材作成プログラム。
【請求項２０】
前記コンピュータを、
作成した前記ＣＭ素材を放送局へ送信する手段としてさらに機能させる、
請求項１９に記載のＣＭ素材作成プログラム。
【請求項２１】
前記ＣＭ素材を作成する手段は、
前記ＣＭの元データの最初のフレームを複製し、複製したフレームから所定時間の前記ファーストカットを生成して前記ＣＭの元データの前に結合する手段と、
前記ＣＭの元データの最後のフレームを複製し、複製したフレームから所定時間の前記ラストカットを生成して前記ＣＭの元データの後に結合する手段と、
前記ＣＭの元データに対応するメタデータを用いて前記クレジットを生成する手段と、を備える、
請求項１９又は２０に記載のＣＭ素材作成プログラム。
【請求項２２】
前記クレジットを生成する手段は、
前記クレジットのテンプレートが記憶された記憶手段から前記テンプレートを読み込み、
前記メタデータから前記テンプレートに書き込む情報を抽出し、
抽出した情報を前記テンプレートに書き込んで前記クレジットを生成する、  
請求項２１に記載のＣＭ素材作成プログラム。
【請求項２３】
前記記憶手段には、前記調整用信号がさらに記憶され、
前記ＣＭ素材を作成する手段は、前記記憶手段から前記調整用信号を読み込んで前記ファーストカットの前に結合する、
請求項２２に記載のＣＭ素材作成プログラム。
【請求項２４】
前記ＣＭ素材を作成する手段は、前記ＣＭの元データの最初の第１所定時間の間と、最後の第２所定時間の間と、を無音声とする、
請求項１９乃至２３のいずれか一項に記載のＣＭ素材作成プログラム。
【請求項２５】
前記作成されたＣＭ素材は、ファイルベースメディアＣＭのフォーマットに準拠して作成される、
請求項１９乃至２４のいずれか一項に記載のＣＭ素材作成プログラム。
【請求項２６】
前記コンピュータを、
ＨＤＴＶカセットテープ用のフォーマットで作成されたＣＭ素材を読み込む手段と、
読み込んだ前記ＨＤＴＶカセットテープ用のフォーマットで作成されたＣＭ素材を前記ファイルベースメディアＣＭのフォーマットのＣＭ素材に変換する手段としてさらに機能させる、
請求項２５に記載のＣＭ素材作成プログラム。
【請求項２７】
前記読み込んだＨＤＴＶカセットテープ用のフォーマットで作成されたＣＭ素材を前記ファイルベースメディアＣＭのフォーマットのＣＭ素材に変換する手段は、
前記ＨＤＴＶカセットテープ用のフォーマットで作成されたＣＭ素材に含まれる調整用信号、クレジット、ファーストカット、ラストカット及びＣＭの元データを含む部分を抽出する手段と、
前記抽出した部分の前記クレジット及び前記調整用信号を前記ファイルベースメディアＣＭのフォーマットに適合する長さに変更する手段と、を備える、
請求項２６に記載のＣＭ素材作成プログラム。
【請求項２８】
ＣＭの元データを提供する端末装置と、
前記端末装置と通信可能な処理装置と、を備え、
前記処理装置は、
ファーストカット、ラストカット及びクレジットを生成し、調整用信号と、生成した前記ファーストカット、前記ラストカット及び前記クレジットと、をＣＭの元データに結合して、デジタルデータとしてＣＭ素材を作成する手段を備える、  
ＣＭ素材作成システム。
【請求項２９】
ＣＭの元データを提供する端末装置と、
前記端末装置と通信可能な処理装置と、を備え、
前記端末装置は、
ファーストカット、ラストカット及びクレジットを生成し、調整用信号と、生成した前記ファーストカット、前記ラストカット及び前記クレジットと、をＣＭの元データに結合して、デジタルデータとしてＣＭ素材を作成する手段と、
作成した前記ＣＭ素材を前記処理装置に送信する手段と、を備える、
ＣＭ素材作成システム。
【請求項３０】
作成した前記ＣＭ素材を放送局へ送信する手段をさらに備える、
請求項２８又は２９に記載のＣＭ素材作成システム。
【請求項３１】
前記ＣＭ素材を作成する手段は、
前記ＣＭの元データの最初のフレームを複製し、複製したフレームから所定時間の前記ファーストカットを生成して前記ＣＭの元データの前に結合する手段と、
前記ＣＭの元データの最後のフレームを複製し、複製したフレームから所定時間の前記ラストカットを生成して前記ＣＭの元データの後に結合する手段と、
前記ＣＭの元データに対応するメタデータを用いて前記クレジットを生成する手段と、を備える、
請求項２８乃至３０のいずれか一項に記載のＣＭ素材作成システム。
【請求項３２】
前記クレジットのテンプレートが記憶された記憶手段を更に備え、
前記クレジットを生成する手段は、
前記記憶手段から前記テンプレートを読み込み、
前記メタデータから前記テンプレートに書き込む情報を抽出し、
抽出した情報を前記テンプレートに書き込んで前記クレジットを生成する、  
請求項３１に記載のＣＭ素材作成システム。
【請求項３３】
前記記憶手段には、前記調整用信号がさらに記憶され、
前記ＣＭ素材を作成する手段は、前記記憶手段から前記調整用信号を読み込んで前記ファーストカットの前に結合する、
請求項３２に記載のＣＭ素材作成システム。
【請求項３４】
前記ＣＭ素材を作成する手段は、前記ＣＭの元データの最初の第１所定時間の間と、最後の第２所定時間の間と、を無音声とする、
請求項２８乃至３３のいずれか一項に記載のＣＭ素材作成システム。
【請求項３５】
前記作成されたＣＭ素材は、ファイルベースメディアＣＭのフォーマットに準拠して作成される、
請求項２８乃至３４のいずれか一項に記載のＣＭ素材作成システム。
【請求項３６】
ＨＤＴＶカセットテープ用のフォーマットで作成されたＣＭ素材を読み込む手段と、
読み込んだ前記ＨＤＴＶカセットテープ用のフォーマットで作成されたＣＭ素材を前記ファイルベースメディアＣＭのフォーマットのＣＭ素材に変換する手段と、をさらに備える、
請求項３５に記載のＣＭ素材作成システム。
【請求項３７】
前記読み込んだＨＤＴＶカセットテープ用のフォーマットで作成されたＣＭ素材を前記ファイルベースメディアＣＭのフォーマットのＣＭ素材に変換する手段は、
前記ＨＤＴＶカセットテープ用のフォーマットで作成されたＣＭ素材に含まれる調整用信号、クレジット、ファーストカット、ラストカット及びＣＭの元データを含む部分を抽出する手段と、
前記抽出した部分の前記クレジット及び前記調整用信号を前記ファイルベースメディアＣＭのフォーマットに適合する長さに変更する手段と、を備える、
請求項３６に記載のＣＭ素材作成システム。
【発明の詳細な説明】
【技術分野】
【０００１】
本発明は、ＣＭ素材作成装置、作成方法、作成プログラム及び作成システムに関する。
【背景技術】
【０００２】
これまで、放送局へＣＭを搬入するには、所定のフォーマットで作成したＣＭ素材をＨＤＴＶカセットテープに記録して搬入していた（特許文献１及び非特許文献１）。こうしたＣＭ素材の編集やＨＤＴＶカセットテープの再生などは特定の機材が必要であり、専門の制作会社などでしか行うことができない。
【０００３】
これに対し、近年では、一般的なパーソナルコンピュータ上で映像や動画をデジタルデータとして扱うことが可能であり、ＣＭ素材についてもファイルベースメディアＣＭフォーマットで作成した映像データであるＣＭ素材を、コンピュータで読み取り可能な記憶媒体に記録して放送局に搬入することも可能となっている（非特許文献１）。これにより、ＨＤＴＶカセットテープの場合と異なり特定の機材を必要としないため、ＣＭ素材の作成、搬入が容易となっている。
【０００４】
また、デジタルデータとして作成されたＣＭ素材はネットワークを介した送受信が可能であり、オンラインでＣＭ素材を放送局に入稿することも行われている（特許文献１）。
【先行技術文献】
【特許文献】
【０００５】
【特許文献１】特開２０１７−１２６９０４号公報
【非特許文献】
【０００６】
【非特許文献１】「テレビＣＭ素材搬入基準  〜ＣＭ素材の搬入から返却まで〜  ２０１５年７月改訂版  ２０１７年１０月増補版」、一般社団法人  日本民間放送連盟・営業委員会、一般社団法人  日本広告業協会・テレビ小委員会、２０１７年１０月
【発明の概要】
【発明が解決しようとする課題】
【０００７】
しかし、ＣＭの元データは、依然として人手による編集作業によってファイルベースメディアＣＭフォーマットに準拠したＣＭ素材に加工されている。そのため、オンライン入稿が可能であったとしても、入稿までの納期が長期化やコスト増が避けられない。
【０００８】
本発明は、上記の事情に鑑みて成されたものであり、オンライン入稿を行うＣＭ素材の作成をより効率的に行うことを目的とする。
【課題を解決するための手段】
【０００９】
本発明の一態様であるＣＭ素材作成装置は、ファーストカット、ラストカット及びクレジットを生成し、調整用信号と、生成した前記ファーストカット、前記ラストカット及び前記クレジットと、をＣＭの元データに結合して、デジタルデータとしてＣＭ素材を作成する手段を有するものである。
【００１０】
本発明の一態様であるＣＭ素材作成方法は、コンピュータが、ファーストカット、ラストカット及びクレジットを生成し、調整用信号と、生成した前記ファーストカット、前記ラストカット及び前記クレジットをＣＭの元データと、に結合して、デジタルデータとしてＣＭ素材を作成する機能を実行するものである。
【００１１】
本発明の一態様であるＣＭ素材作成プログラムは、コンピュータを、ファーストカット、ラストカット及びクレジットを生成し、調整用信号と、生成した前記ファーストカット、前記ラストカット及び前記クレジットと、をＣＭの元データに結合して、デジタルデータとしてＣＭ素材を作成する手段として機能させるものである。
【００１２】
本発明の一態様であるＣＭ素材作成システムは、ＣＭの元データを提供する端末装置と、前記端末装置と通信可能な処理装置と、を有し、前記処理装置は、ファーストカット、ラストカット及びクレジットを生成し、調整用信号と、生成した前記ファーストカット、前記ラストカット及び前記クレジットと、をＣＭの元データに結合して、デジタルデータとしてＣＭ素材を作成する手段を有するものである。
【００１３】
本発明の一態様であるＣＭ素材作成システムは、ＣＭの元データを提供する端末装置と、前記端末装置と通信可能な処理装置と、を有し、前記端末装置は、ファーストカット、ラストカット及びクレジットをし、調整用信号と、生成した前記ファーストカット、前記ラストカット及び前記クレジットをＣＭの元データに結合して、デジタルデータとしてＣＭ素材を作成する手段と、作成した前記ＣＭ素材を前記処理装置に送信する手段と、を有するものである。
【発明の効果】
【００１４】
本発明によれば、オンライン入稿を行うＣＭ素材の作成をより効率的に行うことができる。
【図面の簡単な説明】
【００１５】
【図１】実施の形態１にかかるＣＭ素材入稿システムの構成を模式的に示す図である。
【図２】処理装置及び端末装置のハードウエア構成の一例を模式的に示す図である。
【図３】実施の形態１にかかる処理装置の構成を模式的に示す図である。
【図４】ファイルベースメディアＣＭのＣＭ素材フォーマットを模式的に示す図である。
【図５】クレジットの例を示す図である。
【図６】実施の形態１にかかるＣＭ素材作成部の機能構成を模式的に示す図である。
【図７】実施の形態１にかかるＣＭ素材作成部の動作を示すフローチャートである。
【図８】クライアントの一例を示す図である。
【図９】クライアントの他の例を示す図である。
【図１０】実施の形態２にかかるＣＭ素材入稿システムの構成を模式的に示す図である。
【図１１】ＨＤＴＶカセットテープＣＭのフォーマットを模式的に示す図である。
【図１２】実施の形態３にかかるＣＭ素材作成部の構成を模式的に示す図である。
【図１３】実施の形態３にかかるＣＭ素材作成部の変換動作を示すフローチャートである。
【発明を実施するための形態】
【００１６】
以下、図面を参照して本発明の実施の形態について説明する。各図面においては、同一要素には同一の符号が付されており、必要に応じて重複説明は省略される。
【００１７】
実施の形態１
実施の形態１にかかるＣＭ素材入稿システムについて説明する。図１に、実施の形態１にかかるＣＭ素材入稿システム１０００の構成を模式的に示す。実施の形態１にかかるＣＭ素材入稿システム１０００は、処理装置１１及び端末装置２１を有する。
【００１８】
処理装置１１は、例えばＣＭ素材を管理し、かつ、放送局３０へ入稿する入稿サービス会社１０に設けられるサーバ又は端末装置である。端末装置２１は、例えばＣＭの映像及び音声が記録された元データＤＡＴ（すなわち、ＣＭの元データファイル）を保有しているクライアントに設けられる端末装置２１である。
【００１９】
処理装置１１と端末装置２１とは、各種のネットワークを通じてデータのやり取りが可能である。ここでは、ネットワークＮ１を介して、端末装置２１から処理装置１１へ元データＤＡＴが提供される。処理装置１１は、元データＤＡＴからＣＭ素材ＣＭＭを生成する。
【００２０】
処理装置１１と放送局３０とは、各種のネットワークを通じてデータのやり取りが可能である。ここでは、処理装置１１と放送局３０とは、ネットワークＮ２を介して接続される。処理装置１１は、ネットワークＮ２を介して、生成したＣＭ素材ＣＭＭを放送局３０に入稿（すなわち送信）する。放送局３０は、例えばサーバ３１に受け取ったＣＭ素材ＣＭＭを格納し、必要に応じてＣＭ素材ＣＭＭを読み出して放送する。
【００２１】
本実施の形態にかかる処理装置１１及び端末装置２１の構成について説明する。なお、本実施の形態かかる処理装置及び端末装置のハードウエア構成と、他の実施の形態にかかる処理装置及び端末装置のハードウエア構成とは同様である。
【００２２】
本実施の形態にかかる処理装置１１及び端末装置２１のハードウエア構成の一例について説明する。処理装置１１及び端末装置２１が有する各機能は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２３】
図２に、処理装置１１及び端末装置２１のハードウエア構成の一例を模式的に示す。図２に示すように、処理装置１１及び端末装置２１のそれぞれは、プロセッサ１１Ａ、メモリ１１Ｂ、入出力インターフェイス１１Ｃ、周辺回路１１Ｄ及びバス１１Ｅを有する。
【００２４】
プロセッサ１１Ａ、メモリ１１Ｂ、入出力インターフェイス１１Ｃ及び周辺回路１１Ｄは、バス１１Ｅを介して相互にデータを送受信することができる。
【００２５】
プロセッサ１１Ａは、例えばＣＰＵ（Central Processing Unit） やＧＰＵ（Graphics Processing Unit）などの各種の演算処理装置を用いることができる。プロセッサ１１Ａは、各モジュールに指令を出し、それらの演算結果をもとに演算を行うことができる。メモリ１１Ｂは、例えばＲＡＭ（Random Access Memory）やＲＯＭ（Read Only Memory）などの各種の記憶装置を用いることができる。入出力インターフェイス１１Ｃは、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイスなどを含む。周辺回路１１Ｄには、様々なモジュールが含まれる。なお、処理装置１１及び端末装置２１は、周辺回路１１Ｄを有さなくてもよい。
【００２６】
処理装置１１に含まれるＣＭ素材作成部１００について説明する。図３に、実施の形態１にかかる処理装置１１の構成を模式的に示す。ＣＭ素材作成部１００は、処理装置１１の一部又は全部を用いて構成され、かつ、処理装置１１を構成するコンピュータにプログラムを実行させることで実現される。換言すれば、処理装置１１は、ＣＭ素材作成部１００によってＣＭ素材の作成を行うＣＭ素材作成装置として構成される。ＣＭ素材作成部１００は、ＣＭの内容を構成する映像及び音声からなる元データＤＡＴから、放送局への搬入が可能なフォーマットに適合するＣＭ素材ＣＭＭを生成する。ＣＭ素材作成部は、生成したＣＭ素材ＣＭＭを、例えばネットワークＮ２を介して、オンラインで放送局３０に入稿する。
【００２７】
放送局に入稿されるＣＭ素材のフォーマットについて説明する。テレビＣＭ素材の搬入に関する事項については非特許文献１によって定められており、その中に、ＣＭ素材をデジタルデータからなるファイルとして作成するときに使用する「ファイルベースメディアＣＭ」のフォーマットが定められている。非特許文献１では、ＣＭ素材データをＭＸＦ（Material eXchange Format）ファイルとして作成し、ＸＤＣＡＭ（登録商標）用プロフェッショナルディスク又はＰ２カードに記録するものとされている。
【００２８】
また、非特許文献１では、ＣＭ素材に加えて、ＣＭ素材交換用のメタデータをメディアに記録することが定められている。メタデータは、ＸＭＬ（eXtensible Markup Language）ファイルとして作成される。このメタデータには、ＣＭ素材に関する情報、例えば、後に説明するクレジットに含まれる情報である素材広告主名、ＣＭ素材名、１０桁ＣＭコード、素材秒数、音声区分、ＣＭ字幕有無、商品名、制作広告会社名、制作会社名、備考及び録画日などが含まれることが定められている。すなわち、放送局へは、ＣＭ素材データ（ＭＸＦファイル）とこれに対応するメタデータ（ＸＭＬファイル）とを併せて入稿する必要がある。
【００２９】
一方で、ＭＸＦファイルとして作成したＣＭ素材データはデジタルデータであるので、上述したように、ネットワークＮ２を介して、オンラインで放送局３０に入稿することが可能である。したがって、本実施の形態では、「ファイルベースメディアＣＭ」のフォーマットに準拠してＭＸＦファイルとして作成されたＣＭ素材がメタデータと共にオンライン入稿されるものとして説明する。
【００３０】
図４に、ファイルベースメディアＣＭのＣＭ素材フォーマットを模式的に示す。本フォーマットでは、ＣＭ素材は、ＣＭ素材の先頭に配置されるリーダと、リーダの後に配置された主信号と、で構成される。
【００３１】
リーダには、５秒間の調整用信号が記録される。具体的には、リーダの映像トラックにはカラーバーが記録され、音声トラックには１ｋＨｚの正弦波信号が記録される。
【００３２】
主信号は、先頭から順にクレジット、ファーストカット、ＣＭ及びラストカットが記録される。
【００３３】
ＣＭ開始の５秒前から３秒前までの２秒間には、クレジットが記録される。クレジットの映像トラックには所定の項目を表示した映像が記録され、音声トラックは通常は無音声とされる。
【００３４】
図５に、クレジットの例を示す。クレジットには、素材広告主名、ＣＭ素材名、１０桁ＣＭコード、素材秒数、音声区分、ＣＭ字幕有無が必ず含まれる。また、クレジット映像には、任意記載事項として、商品名、制作広告会社名、制作会社名、備考、録画日が含まれてもよい。
【００３５】
ＣＭ開始の３秒前からＣＭ開始までの３秒間には、ファーストカットが記録される。ファーストカットの映像トラックに記録される各フレームはＣＭの先頭フレームと同一である。音声トラックは無音声とされる。
【００３６】
ＣＭの映像トラック及び音声トラックには、ＣＭの内容を構成する映像及び音声がそれぞれ記録される。但し、ＣＭ開始から０．５秒後まで（第１所定時間）、及び、ＣＭ終了の０．５秒前からＣＭ終了まで（第２所定時間）は、音声トラックは無音声とされる。
【００３７】
ＣＭ終了からＣＭ終了の３秒後までの３秒間には、ラストカットが記録される。ラスカットの映像トラックに記録される各フレームはＣＭの最終フレームと同一であり、音声トラックは無音声とされる。
【００３８】
次いで、実施の形態１にかかるＣＭ素材作成部１００の機能構成及び動作ついて説明する。図６に、実施の形態１にかかるＣＭ素材作成部１００の機能構成を模式的に示す。ＣＭ素材作成部１００は、図６に示すように、ＣＭ編集部１、ファーストカット生成部２、ラストカット生成部３、クレジット生成部４及びリーダ生成部５を有する。
【００３９】
図７は、実施の形態１にかかるＣＭ素材作成部１００の動作を示すフローチャートである。以下、図７を参照して、ＣＭ素材作成部１００の各構成要素の動作を説明する。
【００４０】
ステップＳ１
まず、ＣＭ編集部１は、ＣＭの元データＤＡＴを読み込み、元データＤＡＴの音声トラックの先頭からの０．５秒間と最後までの０．５秒間とを無音声とすることで、ＣＭを作成する。
【００４１】
ステップＳ２
ファーストカット生成部２は、ＣＭの映像トラックの先頭フレームを複製して３秒間の映像トラックを生成し、生成した映像トラックを３秒間の無音声の音声トラックと組み合わせて、ファーストカットを生成する。そして、ファーストカット生成部２は、ファーストカットをＣＭの前に結合する。
【００４２】
ステップＳ３
ラストカット生成部３は、ＣＭの映像トラックの最終フレームを複製して３秒間の映像トラックを生成し、生成した映像トラックを３秒間の無音声の音声トラックと組み合わせて、ラストカットを生成する。そして、ラストカット生成部３は、ラストカットをＣＭの後に結合する。
【００４３】
ステップＳ４
クレジット生成部４は、ＣＭ素材ＣＭＭに対応するメタデータとテンプレート情報とを読み込み、メタデータからクレジットに記録する項目を抽出してテンプレートの対応する項目に書き込む。クレジット生成部４は、書き込み後のテンプレートを含むフレームを複製して２秒間の映像トラックを生成し、生成した映像トラックを２秒間の無音声の音声トラックと組み合わせて、クレジットを生成する。そして、クレジット生成部４は、生成したクレジットをファーストカットの前に結合する。なお、テンプレートに書き込む情報は、ＸＭＬ形式のメタデータだけでなく、クライアントから提供される、必要な情報が格納されたＣＳＶファイルなどの他のデータ形式のファイルから抽出することも可能である。
【００４４】
ステップＳ５
リーダ生成部５は、調整用信号を生成し、調整用信号の映像トラック（カラーバー）と音声トラック（１ｋＨｚの正弦波信号）とを読み込み、クレジットの前に結合して、ＣＭ素材を作成する。作成されたＣＭ素材は、例えば上述したメモリ１１Ｂに格納される。
【００４５】
メモリ１１Ｂに格納されたＣＭ素材は、必要に応じてメモリ１１Ｂから読み出され、入出力インターフェイス１１ＣからネットワークＮ２を介して、放送局３０に入稿される。
【００４６】
以上、本構成によれば、ＣＭの元データを用いて、自動的にファイルベースメディアＣＭのフォーマットに準拠したＭＸＦファイル形式でＣＭ素材を作成することができる。これにより、人手によるＣＭ素材の編集作業を行うことなく、短納期かつ低コストでより効率的にＣＭ素材を作成、入稿することが可能となる。
【００４７】
また、クライアントにとっては、ＣＭ素材のフォーマット変更などが行われた場合でも特に対応を取ることなく、ＣＭの元データＤＡＴとメタデータＭＥＴ（すなわち、メタデータファイル）を入稿サービス会社１０に提供するだけで、入稿サービス会社１０にＣＭ素材の作成及び入稿を行わせることができる。
【００４８】
さらに、クライアントは、入稿サービス会社に提供したＣＭの元データＤＡＴから作成したＣＭ素材の入稿先をオンラインで指定することも可能である。この場合、入稿サービス会社１０は、指定された入稿先、例えば１以上の特定の放送局に作成したＣＭ素材及びメタデータを入稿することができる。
【００４９】
本実施の形態では、図１を参照して説明したクライアントは、特に限定されない。図８に、クライアントの一例を示す。この例では、クライアントは、広告主６０及び広告会社５０の発注に基づいてＣＭの元データＤＡＴ及びメタデータＭＥＴを作成する広告制作会社４０である。この場合には、実際にＣＭの元データＤＡＴ及びメタデータＭＥＴを作成する広告制作会社４０が処理装置１１にＣＭの元データＤＡＴ及びメタデータＭＥＴを提供することで、ＣＭ素材作成部１００はＣＭ素材の作成、入稿を行うことができる。
【００５０】
図９に、クライアントの他の例を示す。この例では、クライアントは、広告主６０から発注を受け付ける広告会社５０である。ＣＭの元データＤＡＴやメタデータＭＥＴは、必ずしも広告制作会社で作成される訳ではなく、広告会社５０がこれらを作成することも考え得る。この場合には、広告会社５０が処理装置１１にＣＭの元データＤＡＴ及びメタデータＭＥＴを提供することで、ＣＭ素材作成部１００はＣＭ素材の作成、入稿を同様に行うことができる。
【００５１】
実施の形態２
実施の形態１では、処理装置１１にＣＭ素材作成部１００が設けられる構成について説明した。これに対し、実施の形態２では、クライアント２０の端末装置２１にＣＭ素材作成部１００が設けられる構成について説明する。
【００５２】
図１０に、実施の形態２にかかるＣＭ素材入稿システム２０００の構成を模式的に示す。ＣＭ素材入稿システム２０００では、端末装置２１内に、ＣＭ素材作成部１００が設けられる。
【００５３】
端末装置２１のメモリ１１Ｂには、ＣＭの元データＤＡＴが格納されている。よって、ＣＭ素材作成部１００は、メモリ１１Ｂから元データＤＡＴを読み込み、図７に示す動作を行うことで、実施の形態１と同様にＣＭ素材ＣＭＭを作成できることが理解できる。
【００５４】
作成されたＣＭ素材ＣＭＭは、例えばメモリ１１Ｂに格納される。メモリ１１Ｂに格納されたＣＭ素材ＣＭＭは、必要に応じてメモリ１１Ｂから読み出され、入出力インターフェイス１１ＣからネットワークＮ１を介して、処理装置１１に送信される。処理装置１１に送信されたＣＭ素材ＣＭＭは、ネットワークＮ１を介して、放送局３０に入稿される。
【００５５】
以上、本構成によれば、実施の形態１と同様に、ＣＭの元データを用いて、自動的にファイルベースメディアＣＭのフォーマットに準拠したＭＸＦファイル形式でＣＭ素材を作成することができる。これにより、人手によるＣＭ素材の編集作業を行うことなく、短時間かつ低コストでより効率的にＣＭ素材を作成、入稿することが可能となる。
【００５６】
実施の形態３
実施の形態１及び２では、ＣＭ素材作成部がファイルベースメディアＣＭのフォーマットに準拠したＣＭ素材を作成することについて説明した。しかしながら、ＨＤＴＶカセットテープにＣＭ素材を記録して、そのＨＤＴＶカセットテープを放送局へ持ち込んで入稿することが広く行われている。そのため、ＣＭ素材がＨＤＴＶカセットテープに記録するために作成されている。
【００５７】
ＨＤＴＶカセットテープＣＭを放送局に持ち込むには、ＨＤＴＶカセットテープの輸送が必要であるため、輸送費用が必要であり、かつ、輸送に時間を要する。よって、実施の形態１及び２で説明したように、ＨＤＴＶカセットテープ用のＣＭ素材をファイルベースメディアＣＭに変換してオンラインで入稿できれば、輸送費用が必要とせず、かつ、迅速に放送局へＣＭ素材を入稿することが可能となる。
【００５８】
しかし、非特許文献１によれば、ＨＤＴＶカセットテープＣＭのフォーマットは、ファイルベースメディアＣＭのフォーマットとは異なっている。よって、ＨＤＴＶカセットテープＣＭのフォーマットで作成されたＣＭ素材をファイルベースメディアＣＭのフォーマットのＣＭ素材に変換して、オンライン入稿できることが望ましい。
【００５９】
ＨＤＴＶカセットテープＣＭのフォーマットについて説明する。ＨＤＴＶカセットテープＣＭのフォーマットについては、非特許文献１によって定められている。
【００６０】
図１１に、ＨＤＴＶカセットテープＣＭのフォーマットを模式的に示す。本フォーマットでは、リーダには、調整用信号の前に、無音声の黒信号が追加されている。また、黒信号の前には、テープ巻き取りのための巻きしろが設けられる。ファイルベースメディアＣＭのフォーマットと比べて調整用信号の時間が異なっており、調整用信号の時間は４５秒以上となっている。
【００６１】
主信号では、ファイルベースメディアＣＭのフォーマットと比べて、クレジットの時間が異なっており、クレジットの時間は１２秒となっている。クレジットの時間以外については、ファイルベースメディアＣＭのフォーマットと同様である。また、ラストカットについても、ファイルベースメディアのＣＭフォーマットと同様である。
【００６２】
ＨＤＴＶカセットテープＣＭのフォーマットでは、ラストカットの後にトレーラが追加されており、トレーラには無音声の黒信号が設けられる。また、トレーラの後には、テープ巻き取りのための巻きしろが設けられる。
【００６３】
次いで、実施の形態３にかかるについて説明する。本実施の形態では、ＣＭ素材作成部は、を再生してデータ化（ファイル化）されたファイルを読み込み、読み込んだデータを加工してファイルベースメディアＣＭのフォーマットに変換する機能を更に有する。
【００６４】
図１２に、実施の形態３にかかるＣＭ素材作成部３００の構成を模式的に示す。また。図１３は、実施の形態３にかかるＣＭ素材作成部３００の変換動作を示すフローチャートである。ＣＭ素材作成部３００は、実施の形態１にかかるＣＭ素材作成部１００に、トリミング部６及びデータ編集部７を追加した構成を有する。
【００６５】
トリミング部６は、読み込んだデータからリーダの黒信号とトレーラの黒信号とを検出し、検出した黒信号をトリミング（削除）する（図１３のステップＳ６）。換言すれば、トリミング部６は、読み込んだデータから、黒信号以外の調整用信号、クレジット、ファーストカット、ラストカット及びＣＭの部分を抽出する。なお、黒信号の検出については、予め与えられた黒信号のサンプルとマッチングして検出してもよいし、パターン認識、画像認識などの各種の検出手法を用いて実現することが可能である。また、ＣＭ素材作成部３００に基準となるタイミング、例えばテープの先頭を基準としてファーストカットか開始されるタイミングを予め入力しておき、基準となるタイミングを用いて黒信号が配置される時間帯を特定してもよい。
【００６６】
データ編集部７は、トリミング部６で黒信号が削除された後の映像からクレジットと調整用信号とを検出する。なお、クレジット及び調整用信号の検出については、予め与えられた黒信号のサンプルとマッチングして検出してもよいし、パターン認識、画像認識などの各種の検出手法を用いて実現することが可能である。データ編集部７は、検出したクレジットの時間を３秒に短縮して、短縮したクレジットで元のクレジットを置き換える。また、データ編集部７は、検出した調整用信号の時間を５秒に短縮して、短縮した調整用信号で元の調整用信号を置き換える（図１３のステップＳ７）。また、上述と同様に、ＣＭ素材作成部３００に基準となるタイミング、例えばテープの先頭を基準としてファーストカットか開始されるタイミングを予め入力しておき、基準となるタイミングを用いてクレジットと調整用信号とが配置される時間帯を特定してもよい。
【００６７】
以上、本構成によれば、元データからＣＭ素材を作成するだけでなく、既に作成されたＨＤＴＶカセットテープＣＭのフォーマットのＣＭ素材をファイルベースメディアＣＭのフォーマットＣＭ素材ＣＭＭに自動的に変換することができる。これにより、ＨＤＴＶカセットテープＣＭのフォーマットのＣＭ素材をファイルベースメディアＣＭのフォーマットＣＭ素材ＣＭＭに変換して、放送局等へオンライン入稿することが可能となる。
【００６８】
よって、ＨＤＴＶカセットテープＣＭのフォーマットのＣＭ素材をファイルベースメディアＣＭのフォーマットＣＭ素材に作り替える労力及びコストを低減できる。また、既存のＨＤＴＶカセットテープＣＭのフォーマットのＣＭ素材を有効に活用することができる。
【００６９】
その他の実施の形態
なお、本発明は上記実施の形態に限られたものではなく、趣旨を逸脱しない範囲で適宜変更することが可能である。例えば、上述の実施の形態では、図８及び９を参照して、広告制作会社又は広告会社がクライアントである場合について説明したが、これは例示に過ぎない。例えば、広告制作会社及び広告会社以外の他の事業者又は個人などがクライアントであってもよいことは、言うまでもない。
【００７０】
上述の実施の形態では、クライアント２０がメタデータＭＥＴを入稿サービス会社１０に提供するものとして説明したが、これは例示に過ぎない。例えば、クライアント２０がＸＭＬファイル型式以外のデータを入稿サービス会社１０に提供し、入稿サービス会社１０が受け取ったデータに基づいてメタデータＭＥＴを作成してもよい。
【００７１】
上述の実施の形態では、ネットワークＮ１とネットワークＮ２とが異なるものとして説明したが、ネットワークＮ１とネットワークＮ２とは同じネットワークであってもよい。
【符号の説明】
【００７２】
１  ＣＭ編集部
２  ファーストカット生成部
３  ラストカット生成部
４  クレジット生成部
５  リーダ生成部
６  トリミング部
７  データ編集部
１０  入稿サービス会社
１１  処理装置
１１Ａ  プロセッサ
１１Ｂ  メモリ
１１Ｃ  入出力インターフェイス
１１Ｄ  周辺回路
１１Ｅ  バス
２０  クライアント
２１  端末装置
３０  放送局
３１  サーバ
４０  広告制作会社
５０  広告会社
６０  広告主
１００、３００  ＣＭ素材作成部
１０００、２０００  ＣＭ素材入稿システム
ＣＭＭ  ＣＭ素材
ＤＡＴ  元データ
ＭＥＴ  メタデータ
Ｎ１、Ｎ２  ネットワーク
【図１】
2020150421.tif 000003
【図２】
2020150421.tif 000004
【図３】
2020150421.tif 000005
【図４】
2020150421.tif 000006
【図５】
2020150421.tif 000007
【図６】
2020150421.tif 000008
【図７】
2020150421.tif 000009
【図８】
2020150421.tif 000010
【図９】
2020150421.tif 000011
【図１０】
2020150421.tif 000012
【図１１】
2020150421.tif 000013
【図１２】
2020150421.tif 000014
【図１３】
2020150421.tif 000015